(57)【要約】【課題】躯体外周の凹所に配設される補強筋を利用し、特殊なインバース断面を持たず製造容易な縁ブロックを用い、作業性容易で、亀裂が入っても縁ブロックが脱落しない縁ブロック脱落防止具を提供することを目的としている。【解決手段】  複数のブロックが積層された躯体の外周に、縁ブロックをモルタルで充填して固着させる際に該モルタル内に埋設して使用される縁ブロック脱落防止具であって、前記躯体の外周に位置する前記ブロックの外方に向かって開放した凹所に配設された補強筋に挟着付勢して装着されるもので、前記補強筋を挟着する挟着部を開放端部に備えた二股の脚部を有し、該脚部の前記挟着部と反対側に、前記縁ブロックの凹所に突出して配設される頭部を有している。【選択図】  図１
2005226381.tif 000002
【特許請求の範囲】
【請求項１】
複数のブロックが積層された躯体の外周に、縁ブロックをモルタルで充填して固着させる際に該モルタル内に埋設して使用される縁ブロック脱落防止具であって、
前記躯体の外周に位置する前記ブロックの外方に向かって開放した凹所に配設された補強筋に挟着付勢して装着されるもので、前記補強筋を挟着する挟着部を開放端部に備えた二股の脚部を有し、該脚部の前記挟着部と反対側に、前記縁ブロックの凹所に突出して配設される頭部を有していることを特徴とする縁ブロック脱落防止具。
【請求項２】
請求項１において、前記挟着部には、前記補強筋に対応する断面形状の溝が形成されていることを特徴とする縁ブロック脱落防止具。
【請求項３】
請求項１又は２において、前記脚部には、貫通孔が形成されていることを特徴とする縁ブロック脱落防止具。
【請求項４】
ブロックが積層された躯体の外周に縁ブロックをモルタルで固着させる縁ブロックの装着方法であって、
脚部と頭部とを有した請求項１乃至３のいずれかの縁ブロック脱落防止具を前記躯体の外周に位置する前記ブロックの外方に向かって開放した凹所に配設された前記補強筋に挟着付勢して装着し、前記ブロックの凹所にモルタルを盛りつけて充填し、前記縁ブロックの凹所にモルタルを盛りつけ、前記縁ブロック脱落防止具の前記頭部を前記縁ブロックの凹所内のモルタルに埋設するように前記縁ブロックを被せて押し付け、前記躯体に固着させることを特徴とする縁ブロックの装着方法。
【請求項５】
請求項１乃至３の縁ブロック脱落防止具を用い、請求項４の方法で前記躯体に前記縁ブロックを装着させて形成したことを特徴とするブロック構築物。
【発明の詳細な説明】
【技術分野】
【０００１】
この発明は、ブロック構築物、例えばブロック塀を構築する際、ブロックが積層された躯体の端部に縁ブロックをモルタルで固着させるために、モルタル内に埋設して使用する縁ブロック脱落防止具及びこれを用いた縁ブロックの装着方法、並びにこれらを用いたブロック構築物に関するものである。
【背景技術】
【０００２】
従来のこの種の技術では、例えば次のようにブロック塀が構築されていた。
【０００３】
図５、図６に示すブロック１０は、粗い砂をセメントで固めた、ほぼ直方体形状を呈しており、厚みの薄い面である周囲に例えば円弧状断面を有する溝状の凹所１１を備え、その長手方向の面には反対面まで貫通する穴１２がここでは１個形成されている。この直方体状のブロック１０が積層されて本願発明の説明で示す図３，図４の様に躯体１が形成され、その周囲に図７で示すような粗い砂をセメントで固めた縁ブロック２０がモルタルをバインダーとして装着され、ブロック構築物、例えばブロック塀が構築されている。
【０００４】
この縁ブロック２０は、図３に示すブロック塀の上面、側面に使用されるもので、それぞれ大きさも異なる。図７で実線で示される縁ブロック２０は、図中のコーナーに用いられるものであって、扁平矩形状を呈し、その広い面の一面に、長手方向に一端が閉じられた断面ほぼ台形状の溝形状をした凹所２１を有している。なお、２点鎖線で示すように長手方向に抜ける縁ブロック２０は、コーナー以外の所に用いられる。図３の縦方向にＡ−Ａ線に沿って切断した断面は、図４に示すようであり、ブロック１０間にはモルタルが目地を残すように凹所１１に充填され、一番上には笠置とも呼ばれる縁ブロック２０が目地を残して凹所１１，２１にモルタルが充填され装着されている。
【０００５】
このようなブロック塀も、図に記載されているような縁ブロック脱落防止具もなかったため、経時変化や地震による衝撃等の影響で図４の縁ブロック２０の下端面を結ぶ線上でモルタルに亀裂が入り、縁ブロック２０が躯体１から落下する恐れがあった。その対策として、縁ブロックに特殊なインバース断面を形成し、そこの係止金具を固定し、モルタルでブロックと接続する技術が提案されている（例えば、特許文献１参照。）。
【特許文献１】特開２００１−３２５７８号公報（第１−５図）
【発明の開示】
【発明が解決しようとする課題】
【０００６】
この提案されている技術では、特殊なインバースした断面の溝を形成するため縁ブロックの製造自体が大変であると共に、係止金具を位置決めするにも溝の端から適宜位置までスライドさせて移動しなければならないなど作業性も悪いという問題があった。
【０００７】
そこで、この発明は、上記問題に鑑みて躯体外周の凹所に配設される補強筋を利用し、特殊なインバース断面を持たず製造容易な縁ブロックを用い、作業性容易で、亀裂が入っても縁ブロックが脱落しない縁ブロック脱落防止具及び、これを用いた縁ブロックの装着方法並びに、これらを用いたブロック構築物を提供することを目的としている。
【課題を解決するための手段】
【０００８】
この目的を達成するため、請求項１の発明は、複数のブロックが積層された躯体の外周に、縁ブロックをモルタルで充填して固着させる際に該モルタル内に埋設して使用される縁ブロック脱落防止具であって、前記躯体の外周に位置する前記ブロックの外方に向かって開放した凹所に配設された補強筋に挟着付勢して装着されるもので、前記補強筋を挟着する挟着部を開放端部に備えた二股の脚部を有し、該脚部の前記挟着部と反対側に、前記縁ブロックの凹所に突出して配設される頭部を有していることを特徴とする縁ブロック脱落防止具としている。
【０００９】
また、請求項２の発明は、請求項１において、前記挟着部には、前記補強筋に対応する断面形状の溝が形成されていることを特徴とする縁ブロック脱落防止具としている。
【００１０】
また、請求項３の発明は、請求項１又は２において、前記脚部には、貫通孔が形成されていることを特徴とする縁ブロック脱落防止具としている。
【００１１】
また、請求項４の発明は、ブロックが積層された躯体の外周に縁ブロックをモルタルで固着させる縁ブロックの装着方法であって、脚部と頭部とを有した請求項１乃至３のいずれかの縁ブロック脱落防止具を前記躯体の外周に位置する前記ブロックの外方に向かって開放した凹所に配設された前記補強筋に挟着付勢して装着し、前記ブロックの凹所にモルタルを盛りつけて充填し、前記縁ブロックの凹所にモルタルを盛りつけ、前記縁ブロック脱落防止具の前記頭部を前記縁ブロックの凹所内のモルタルに埋設するように前記縁ブロックを被せて押し付け、前記躯体に固着させることを特徴とする縁ブロックの装着方法としている。
【００１２】
さらに、請求項５の発明は、請求項１乃至３の縁ブロック脱落防止具を用い、請求項４の方法で前記躯体に前記縁ブロックを装着させて形成したことを特徴とするブロック構築物としている。
【発明の効果】
【００１３】
請求項１の発明によれば、モルタルの問題箇所に亀裂が入ろうとしても亀裂の進行が遅く、仮に亀裂が大きく入ったとしても、縁ブロック脱落防止具が、亀裂で離れようとするモルタル間をつなぎ止めるため縁ブロックの脱落を阻止することが出来、また特別な縁ブロックを用いることなく、しかも簡単に施工できる。
【００１４】
また、縁ブロック脱落防止具が補強筋に容易に装着でき、装着姿勢を人手に頼まず維持でき、縁ブロックのモルタル内に容易に埋設することが出来る。
【００１５】
請求項２の発明によれば、挟着部で補強筋をしっかりと挟着保持でき縁ブロック脱落防止具を安定した姿勢に維持できるので、組み付け容易である。
【００１６】
請求項３の発明によれば、モルタルに挿入しやすく、モルタルの回り込みも良く、モルタルにしっかり固定される縁ブロック脱落防止具を提供できる。
【００１７】
請求項４の発明によれば、請求項１乃至３の効果を奏する装着方法を提供できる。
【００１８】
請求項５の発明によれば、請求項１乃至４の効果を奏する構築物を提供できる。
【発明を実施するための最良の形態】
【００１９】
以下図面に基づいてこの発明を説明する。
【００２０】
図３及び図４には、ブロック構築物の一例であるブロック塀が示されており、複数のブロック１０を補強筋３０を用いて補強し、モルタルで積層固着して躯体１が形成され、躯体１の外周に縁ブロック２０がモルタルで固着されていることを示している。
【００２１】
図２はブロック塀等のブロック構築物の最終段階で上面の縁ブロック２０を乗せていない状態を示している。補強筋３０は、耐久性があれば鉄筋である必要はなく、他の金属、合成樹脂であっても良く、また、配設位置によって縦筋３１，横筋３２と呼ばれる。縦筋３１がブロック１０の外周に外側に向かって開放した凹所１１及び中心の穴１２配設され、横筋３２が躯体１の上面となるブロック１０の上面の凹所１１に配設され、それぞれの位置関係がずれないように絡ませるか、針金等で互いに縛り付けられている。
一方、縁ブロック脱落防止具４０は、複数のブロック１０が積層された躯体１の外周に、縁ブロック２０をモルタルで充填して固着させる際にこのモルタル内に埋設して使用されるもので、その一例が図１に示されている。縁ブロック脱落防止具４０は、ブロック１０と縁ブロック２０との間に出来る空間の大きさによるが、一例として、縦５５ミリ、横１５ミリ、厚さ２０ミリ程度の大きさで、合成樹脂や金属で作られている。
【００２２】
そして、縁ブロック脱落防止具４０は、補強筋３０を挟着する挟着部４２を開放端部に備えた二股の脚部４１を一端側に有し、脚部４１の挟着部４２と反対側である他端側に、縁ブロック３０の凹所２１に突出して配設される頭部４８を有している。
脚部４１は挟着部４２を形成するための空間４７を内側に有し、挟着部４２には内側に補強筋３０に対応する断面形状、ここでは円弧状断面の溝４３が対向して設けられ、スリット４６を挟んだ両溝４３でほぼ円形が形成されている。スリット４６は空間４７と先端に向かって互いに開くように形成された傾斜面４４との間を連結している。また、脚部４１には、モルタルを通過させ、モルタルとの喰い付きをよくするための貫通孔４５が形成されている。
【００２３】
頭部４８は、モルタルとの喰い付きがよいようにされておれば形状は種々のものでも良く、ここでは脚部４１よりも幅が出っ張っている大きさの円弧状断面を一般断面とした形状に形成されている。
【００２４】
図１に示すような縁ブロック脱落防止具４０は、種々の成形方法が考えられるが、射出成形で１個あるいは多数個取りにするとか、押し出し成形後カッティング等で成形することが出来る。なお、スリット４６は、スリ割りを入れることによっても形成され、挟着部４２の挟着機能を一層発揮することが出来る。
【００２５】
次に、この縁ブロック脱落防止具４０の用い方等について説明する。
【００２６】
複数のブロック１０を補強筋３０を通しながら積層して躯体１形成する。躯体１の外周に位置するブロック１０には外方に向かって開放した凹所１１があり、ここに縦筋３１，横筋３２の補強筋３０がに配設されている。この補強筋３０の適宜位置に縁ブロック脱落防止具４０を取り付ける。具体的には、先端に向かって開いた傾斜面４４を補強筋３０にあてがい押し込むと、スリット４６が押し広げられながら補強筋３０を通過させ、挟着部４２の溝４３に入り込む。したがって、縁ブロック脱落防止具４０は、補強筋３０に挟着付勢して図２，図４のように装着され、その姿勢をしっかり保つことが出来る。
【００２７】
そして、ブロック１０の凹所１１に縁ブロック脱落防止具４０の脚部４１を埋設してモルタルを盛りつけて充填する。このとき、挟着部４２は先端が尖った外径形状をしており、モルタルを先端の下、補強筋３０の下まで入り込みやすくしており、また、貫通孔４５が空間４７へのモルタルの入り込みをよくし、喰い付きもよくしている。
【００２８】
その後、縁ブロック２０の凹所１１にモルタルを盛りつけ、縁ブロック脱落防止具４０の頭部４８を縁ブロック２０の凹所２１内のモルタルに埋設するように縁ブロック２０を被せて押し付け、躯体１に固着させて図３に示すようなブロック塀等のブロック構築物を形成する。
【００２９】
このようなブロック構築物は、自然環境による経時変化や地震や交通による振動等に対しても、モルタルの問題箇所に亀裂が生じていく進行が遅く、仮に亀裂が大きく入ったとしても、縁ブロック脱落防止具が、亀裂で離れようとするモルタル間をつなぎ止めるため縁ブロックの脱落を阻止することが出来、また複雑な縁ブロックを用いることなく、しかも簡単に施工できる。
【００３０】
また、縁ブロック脱落防止具が補強筋に容易に装着でき、装着姿勢を人手に頼まず維持でき、縁ブロックのモルタル内に容易に埋設することが出来る。
【図面の簡単な説明】
【００３１】
【図１】縁ブロック脱落防止具の一例を示す全体斜視図である。
【図２】縁ブロック脱落防止具を用い、上面の縁ブロックを載せる前のブロック塀の斜視図である。
【図３】ブロック塀の一部を示す斜視図である。
【図４】図３のＡーＡ断面図である。
【図５】一般に使われているブロックの平面図である。
【図６】図５のＢ−Ｂ断面図である。
【図７】一般に使われている縁ブロックの全体斜視図である。
【符号の説明】
【００３２】
１                    躯体
１０                  ブロック
１１、２１            凹所
２０                  縁ブロック
３０                  補強筋
４０                  縁ブロック脱落防止具
４１                  脚部
４２                  挟着部
４３                  溝部
４５                  貫通孔
【図１】
2005226381.tif 000003
【図２】
2005226381.tif 000004
【図３】
2005226381.tif 000005
【図４】
2005226381.tif 000006
【図５】
2005226381.tif 000007
【図６】
2005226381.tif 000008
【図７】
2005226381.tif 000009